(57)【特許請求の範囲】
【請求項１】
ＩＳＤＮ回線との接続のためのＵ点インターフェースを有し、動作中には、電話局との間で常にリンクをはるようにするＩＳＤＮ端末装置において、
少なくとも前記ＩＳＤＮ端末装置が前記ＩＳＤＮ回線に接続されたときに、前記ＩＳＤＮ回線の回線電圧の極性に関係なく、前記回線電圧が所定電圧以上である場合に、前記回線電圧をノーマル極性の回線電圧として検出する第１の検出手段と、
前記第１の検出手段で前記ノーマル極性が検出されたときに、直流ループを形成する第１の直流ループ手段と、
前記直流ループ形成後に極性反転された、前記所定電圧以上の前記ＩＳＤＮ回線の回線電圧を、リバース極性の回線電圧として検出する第２の検出手段と、
前記第２の検出手段で前記極性反転が検出された後から所定時間内に、さらなる極性反転があるか否かを監視する監視手段と、
を備えるＵ点インターフェースを有するＩＳＤＮ端末装置。
【請求項２】
ＩＳＤＮ回線との接続のためのＵ点インターフェースを有し、動作中には、電話局との間で常にリンクをはるようにするＩＳＤＮ端末装置において、
前記ＩＳＤＮ回線の回線電圧が第１の極性のときに、前記回線電圧が所定電圧以上であることを検出する第１の検出回路と、
前記第１の検出回路の検出出力に基づいた第１の制御信号を受けて、直流ループを形成する第１の直流ループ回路と、
前記ＩＳＤＮ回線の回線電圧が前記第１の極性とは逆極性の第２の極性のときに、前記回線電圧が所定電圧以上であることを検出する第２の検出回路と、
前記第２の検出回路の検出出力に基づいた第２の制御信号を受けて、直流ループを形成する第２の直流ループ回路と、
前記第１の検出回路および前記第２の検出回路の検出出力を受け、前記第１の制御信号および前記第２の制御信号を必要に応じて発生する制御回路と、
を備え、
前記制御回路は、
少なくとも前記ＩＳＤＮ端末装置が前記ＩＳＤＮ回線に接続されたときに、前記第１の検出回路または前記第２の検出回路の一方から、前記回線電圧が所定電圧以上であることの検出出力を受けた場合に、そのときの回線電圧の極性をノーマル極性と判断し、前記検出出力に対応する前記第１の制御信号または前記第２の制御信号を発生して、前記第１の直流ループ回路または前記第２の直流ループ回路で直流ループを形成させるようにし、
前記直流ループ形成後に極性反転された前記ＩＳＤＮ回線の回線電圧が前記所定電圧以上であることの検出出力を、前記第１の検出回路または前記第２の検出回路の他方から受けたときに、そのときの回線電圧の極性をリバース極性と判断して、前記極性反転を検出し、
前記極性反転が検出された時点から所定時間内に、さらなる極性反転があるか否かを、前記第１の検出回路または前記第２の検出回路の一方からの検出出力により監視する
ことを特徴とするＵ点インターフェースを有するＩＳＤＮ端末装置。
【請求項３】
請求項２において、
前記制御回路は、
前記第１の検出回路および前記第２の検出回路のいずれからも、前記回線電圧が所定電圧以上であることを示す検出出力が、所定時間以上得られないときに、回線開放試験の状態として検知し、
その後、前記第１の検出回路または前記第２の検出回路のいずれか一方から、前記回線電圧が所定電圧以上であることを示す検出出力が得られたときに、前記回線開放試験の終了と判別して、通常動作への復帰動作を行なうようにする
ことを特徴とするＵ点インターフェースを有するＩＳＤＮ端末装置。
【請求項４】
請求項１〜請求項３のいずれかにおいて、
通電状態および停電状態を示す制御信号を発生する制御信号発生回路と、
前記ＩＳＤＮ回線の回線電圧を両波整流する整流回路と、
前記整流回路からの電圧を受けて前記端末の負荷に電源を給電する回路であって、前記制御信号により、前記電源が投入されている通電時は、前記端末の負荷に給電しないようにすると共に、停電時には、前記端末の負荷に給電をするようにする給電回路と、
を備えることを特徴とするＵ点インターフェースを有するＩＳＤＮ端末装置。
【発明の詳細な説明】
【０００１】
【発明の属する技術分野】
この発明は、ＩＳＤＮ（Ｉｎｔｅｇｒａｔｅｄ  Ｓｅｒｖｉｃｅｓ  Ｄｉｇｉｔａｌ  Ｎｅｔｗｏｒｋ；総合デジタル通信網）における端末側のＤＳＵ（Ｄｉｇｉｔａｌ  Ｓｅｒｖｉｃｅ  Ｕｎｉｔ；回線終端装置）やターミナルアダプタなどのＵ点インターフェースを有するＩＳＤＮ端末装置に関する。
【０００２】
【従来の技術】
ＩＳＤＮの電話回線は、通常は、ＤＳＵを介してターミナルアダプタに接続される。また、ターミナルアダプタがＤＳＵを内蔵する場合には、ＩＳＤＮ回線は、直接に、ターミナルアダプタに接続される。ＤＳＵのＩＳＤＮ回線との接続点側はＵ点と称されており、ＤＳＵは、Ｕ点インターフェースを有する。したがって、ＤＳＵおよびＤＳＵを内蔵するターミナルアダプタなどはＵ点インターフェースを有するＩＳＤＮ端末装置である。
【０００３】
ＤＳＵのＵ点側においては、通常は、発信時および受信時に、２線の電話回線との間で直流ループを形成して、通信ができるようにするが、最近は、電源が投入されている間は、常に、電話局との間でリンクをはるようにするＵ点インターフェースを有するＩＳＤＮ端末装置が提供されている。この種のＵ点インターフェースを有するＩＳＤＮ端末装置では、交換機との間で、所定のシーケンスの起動動作を行うことにより、前記リンクを形成するようにする。
【０００４】
ところで、低消費電力型の新しい交換機が登場している。従前の交換機の場合は、３９ｍＡの定電流を前記直流ループに流すと共に、端末においては、所定の出力ワット数以下なら、直流ループ以外にある回路部分にも給電をすることを許可するようにしていた。これに対して、新交換機は、低消費電力型にするため、直流ループに流す電流を６ｍＡ以下にし、しかも、端末においては、停電時のみ給電を許可するというように定められている。通常時は、端末自身で給電を行う方式であるので、新交換機は、ローカル給電方式対応交換機と呼ばれる。
【０００５】
局側の交換機の全てが、新交換機に置き換わるのではないので、端末側においては、これらの２種の交換機を識別する必要が生じるが、その識別方法としては、上述の２種の交換機で、起動動作時のシーケンスを異ならせる方法を利用している。
【０００６】
すなわち、図７は、ローカル給電方式でない従前の交換機の場合の起動動作時の局側とＩＳＤＮ端末との間のシーケンスを示すものであり、また、図８は、ローカル給電方式の交換機の場合の起動動作時の局側とＩＳＤＮ端末との間のシーケンスを示すものである。先ず、図７のローカル給電方式でない従前の交換機の場合のシーケンスについて説明する。
【０００７】
▲１▼Ｕ点インターフェースを有するＩＳＤＮ端末装置にＩＳＤＮ電話回線を接続すると、局側から所定の極性で、１５Ｖ以上の回線電圧が送られてくる。このとき、後述もするように、２線の電話回線が接続される端子の、予め定められた一方の端子が正極性のときに回線電圧の極性はノーマル極性であると定められている。
【０００８】
▲２▼ＩＳＤＮ端末では、１５Ｖ以上のノーマル極性の回線電圧を検出すると、ノーマル極性の直流ループを形成する（オン状態）。
【０００９】
▲３▼局側は、この直流ループの形成を検知して、回線電圧の極性を反転して、リバース極性にする。
【００１０】
▲４▼ＩＳＤＮ端末では、この１５Ｖ以上のリバース極性の回線電圧を検出するが、この時点では、リバース極性の直流ループは形成しない（オフ状態）。
【００１１】
▲５▼そして、局側では、▲４▼の回線電圧の極性をリバース極性にした時点から、予め定められた長さの監視時間の間に、回線電圧の極性をリバース極性からノーマル極性に反転する。
【００１２】
▲６▼ＩＳＤＮ端末では、前記監視時間内で、回線電圧の極性をリバース極性からノーマル極性への反転を検出すると、リバース極性の直流ループを形成可能の状態にする。
【００１３】
▲７▼局側は、前記監視時間が経過すると回線電圧の極性をノーマル極性からリバース極性に反転する。前記▲６▼において、リバース極性の直流ループオン指示が出ていたので、当該リバース極性の直流ループが形成される。
【００１４】
▲８▼そして、局側は、等化器トレーニングパターンを送出する。
【００１５】
▲９▼ＩＳＤＮ端末は、局側からの等化器トレーニングパターンを、線路等化増幅器および受信回路を通じて受信し、その受信した等化器トレーニングパターンを送信回路を通じて局側に返す。
【００１６】
以上により、従前の交換機では、ＩＳＤＮ端末側との間でリンクを確立するようにする。
【００１７】
次に、図８のローカル給電方式に対応の交換機の場合の起動動作シーケンスについて説明する。
【００１８】
図８に示すように、この場合のシーケンスは、従前の交換機の場合の起動動作シーケンスのうちの、▲１▼〜▲４▼までは全く同一のシーケンスとなり、その後、▲５▼〜▲７▼のシーケンス部分を飛ばして、▲８▼および▲９▼のシーケンスを実行するものとなっている。
【００１９】
すなわち、ローカル給電方式に対応の交換機の場合には、前記▲４▼の回線電圧の極性をリバース極性にした時点から、予め定められた長さの監視時間の間に、回線電圧の極性の反転動作は行わない。
【００２０】
そして、ＩＳＤＮ端末側で直流ループを形成しない状態で、局側とＩＳＤＮ端末との間で、等化器トレーニングパルスの送受信を行ない、局側とＩＳＤＮ端末側とのリンクを確立するようにする。
【００２１】
したがって、前記▲４▼の回線電圧の極性をリバース極性にした時点から、予め定められた長さの監視時間の間に、回線電圧の極性の反転動作があるかどうかにより、従前の交換機と、ローカル給電方式対応の新交換機とを識別することができる。
【００２２】
なお、ＩＳＤＮ端末装置では、局側（交換機側）から、いわゆる媒体試験（回線開放試験）を行うことができるようにされている。通常動作状態から、この媒体試験を行う場合の動作シーケンスを図９に示す。
【００２３】
先ず、通常動作状態における回線電圧は、前述したように１５Ｖ以上の電圧となっている。媒体試験を行うときには、局側は、この回線電圧を１５Ｖ以下にし、その低電圧状態を媒体試験が終了するまで継続する。
【００２４】
ＩＳＤＮ端末装置では、回線電圧の１５Ｖ以下への低下を、１５Ｖ以上のノーマル極性の回線電圧の検出回路と、リバース極性の回線電圧の検出回路の両方で検出することになる。つまり、１５Ｖ以上のノーマル極性の回線電圧および１５Ｖ以上のリバース極性の回線電圧が、共に、非検出の状態となる。そして、ＩＳＤＮ端末は、その非検出の状態が、予め定められた所定時間以上継続することを検出（この時間は瞬断時間タイマーで検出）すると、媒体試験であることを認識して、媒体試験を行える状態に切り換える。このとき、局側が媒体試験を行う場合、端末側は、局側からみて、インピーダンスを１ＭΩ以上にする必要があるので、ＩＳＤＮ端末では、それを満足するようにする。
【００２５】
媒体試験が終了すると、局側は、回線電圧を１５Ｖ以上の電圧に戻す。ＩＳＤＮ端末は、一定時間以上、ノーマルまたはリバースのいずれかの極性の回線電圧を検出することで、試験終了を認識する。そして、その後、起動時のシーケンスが局側と端末側との間で行われ、リンクが確立されて、通常動作状態へ復帰する。
【００２６】
さらに、ローカル給電方式に対応するＩＳＤＮ端末では、通常動作時は、局からの給電を受けないように、給電回路の負荷を電話回線から切り離し、端末側で商用交流電源から直流電圧を得るようにするＡＣ／ＤＣコンバータを含む電源回路からの給電を受けて動作するようにする。そして、停電時には、電話回線を給電回路側に接続して局からの給電を受けるようにする。この際に、通常は、ＩＳＤＮ端末では、電話回線の回線電圧を、正しくノーマル極性として受けているようにしておく必要がある。
【００２７】
【発明が解決しようとする課題】
ローカル給電方式に対応するＩＳＤＮ端末を実現しようとする場合には、以上のような、起動動作シーケンスを行なって２種の交換機を認識する機能と、媒体試験に対応する機能と、停電動作に対応する機能との全てを満足するように構成しなければならない。
【００２８】
図１０は、上述のように、電話局との間で常にリンクをはり、かつ、ローカル給電方式にも対応することができるようにするＩＳＤＮ端末として先に考えられたものの、主としてＵ点の接続部の構成例を示す回路ブロック図である。
【００２９】
図１０において、端子１および端子２は、２線のＩＳＤＮの電話回線Ｌ１，Ｌ２のそれぞれが接続される端子である。この端子１、端子２は、回線電圧の極性切換スイッチ３に接続される。この極性切換スイッチ３は、手動のスイッチであって、この極性切換スイッチ３の端末内部側の端子に相当する接続点Ａ，Ｂの両端間に得られる回線電圧の極性を切り換えるためのものである。
【００３０】
なお、この図１０の例においては、例えば接続点Ａ側が正極性であるときの回線電圧をノーマル極性とし、接続点Ｂ側が正極性であるときの回線電圧をリバース極性としている。
【００３１】
接続点Ａ，Ｂは、直流分離回路４に接続される。そして、直流分離回路４とレイヤ１・２制御回路６との間に、送信回路５Ｔおよび受信回路５Ｒを含むＵ点インターフェース５が接続される。レイヤ１・２制御回路６の、端末の内部側には、送信回路７Ｔおよび受信回路７Ｒを含むＳ／Ｔ点インターフェース７が接続される。レイヤ１・２制御回路６は、さらに、端末全体を制御するマイクロコンピュータからなる制御回路（図示は省略する）のＣＰＵバスに接続されている。
【００３２】
また、接続点Ａおよび接続点Ｂは、通信／試験切換スイッチ８の一方の接点側を介して試験回路１０が接続されると共に、通信／試験切換スイッチ８の他方の接点側および通電／停電切換スイッチ９の一方の接点側を介して通信制御回路２０が接続される。さらに、通電／停電切換スイッチ９の他方の接点側には、停電時の給電のための給電回路３０が接続される。
【００３３】
通信／試験切換スイッチ８および通電／停電切換スイッチ９は、それぞれ電磁リレーで構成され、後述する切換制御信号ＳＡおよびＳＢにより、それぞれ切り換えられる。
【００３４】
試験回路１０は、媒体試験時から通常動作状態に復帰するときに、接続点Ａ，Ｂ間の回線電圧が１５Ｖ以上になるのを検出するノーマル検出回路１１およびリバース検出回路１２を備える。
【００３５】
ノーマル検出回路１１は、この例では、接続点Ａ側が正極性であるノーマル極性のときの回線電圧が１５Ｖ以上であるかどうかを検出する。リバース検出回路１２は、この例では、接続点Ｂ側が正極性であるリバース極性のときの回線電圧が１５Ｖ以上であるかどうかを検出する。そして、ノーマル検出回路１１およびリバース検出回路１２の検出出力は、ロジック回路で構成されるリンク確立制御回路４０に供給される。
【００３６】
通信制御回路２０は、ノーマル検出回路２１と、リバース検出回路２２と、ノーマル直流ループ回路２３と、リバース直流ループ回路２４とを備えている。
【００３７】
ノーマル検出回路２１は、ノーマル極性のときに回線電圧が１５Ｖ以上であるかどうかを検出し、その検出出力をリンク確立制御回路４０に供給する。また、リバース検出回路２２は、リバース極性のときの回線電圧が１５Ｖ以上であるかどうかを検出し、その検出出力をリンク確立制御回路４０に供給する。
【００３８】
ノーマル極性直流ループ回路２３は、リンク確立制御回路４０からの制御信号に応じて、回線電圧がノーマル極性時の直流ループを形成（オン）あるいは開放（オフ）とする。また、リバース極性直流ループ回路２４は、リンク確立制御回路４０からの制御信号に応じて、回線電圧がリバース極性時の直流ループを形成（オン）あるいは開放（オフ）とする。
【００３９】
リンク確立制御回路４０は、ロジック回路により構成されており、通信制御回路２０のノーマル検出回路２１およびリバース検出回路２２からの検出出力に基づいて、ノーマル極性直流ループ回路２３およびリバース極性直流ループ回路２４を制御する。リンク確立制御回路４０においては、この制御が前述した起動動作時のシーケンスに対応するように、ロジックが組まれている。そして、このシーケンスの際に判別される交換機の種別の情報を、前述の図示を省略した端末全体を制御するマイクロコンピュータからなる制御回路に送る。
【００４０】
すなわち、ＩＳＤＮ端末を電話回線Ｌ１，Ｌ２に接続したときに、先ず、通信制御回路２０のノーマル極性の回線電圧が１５Ｖ以上であることをノーマル検出回路２１が検出すると、前述の図７および図８に示したようにして、起動時のシーケンスが行われるように動作する。
【００４１】
したがって、起動時は、接続点Ａ側が正極性の回線電圧となっている必要があるので、そうなっていない場合には、極性切換スイッチ３を切り換えて、起動時に接続点ＡおよびＢ間にノーマル極性の回線電圧が現れるようにする必要がある。
【００４２】
そして、ＩＳＤＮ端末を電話回線Ｌ１，Ｌ２に接続したときに、ノーマル検出回路２１がノーマル極性の１５Ｖ以上の回線電圧を検出すると、その検出出力に基づき、リンク確立制御回路４０は、ノーマル極性直流ループ回路２３に直流ループをオンにする制御信号を供給し、直流ループを形成させる。その後、局側で回線電圧がリバース極性に反転されると、リバース検出回路２２が、そのリバース極性の１５Ｖ以上の回線電圧を検出する。その検出出力を受けたリンク確立制御回路４０は、リバース直流ループ回路２４に直流ループ・オフの制御信号を供給し、この時点ではリバース極性の直流ループは形成しないようにする。
【００４３】
そして、リンク確立制御回路４０は、ローカル給電方式の交換機と、そうでない従前の交換機との違いを検出するために、所定の監視時間の間に、ノーマル検出回路２１の検出出力を監視して、１５Ｖ以上の回線電圧がリバース極性からノーマル極性に切り換えられたどうかを判別する。
【００４４】
そして、図７のように、監視時間の間に回線電圧についてリバース極性からノーマル極性への反転があったときには、リンク確立制御回路４０は、交換機がローカル給電方式に対応するものでないことを示す情報を、端末全体を制御するマイクロコンピュータからなる制御回路に転送すると共に、リバース極性直流ループ回路２４に直流ループ・オンの制御信号を供給する。この時点では、回線電圧は、ノーマル極性となっているので、リバース極性の直流ループは形成されないが、図７に示されるように、局側は、その後、ノーマル極性からリバース極性に回線電圧を反転するので、その時点でリバース極性の直流ループが形成される。
【００４５】
そして、直流ループを形成した状態で、直流分離回路４、Ｕ点インターフェース５、レイヤ１・２制御回路６により等化器トレーニングパターンの送受信が行なわれ、局側と端末側とでリンクが確立される。
【００４６】
一方、図８のように、監視時間の間に回線電圧についてリバース極性からノーマル極性への反転がなかったときには、リンク確立制御回路４０は、交換機がローカル給電方式に対応するものであることを示す情報を、端末全体を制御するマイクロコンピュータからなる制御回路に転送する。
【００４７】
そして、直流ループを形成しない状態において、直流分離回路４、Ｕ点インターフェース５、レイヤ１・２制御回路６により等化器トレーニングパターンの送受信が行なわれ、局側と端末側とでリンクが確立される。
【００４８】
したがって、局の交換機がローカル給電方式に対応している場合には、局と端末との間で常にリンクを確立するようにしたとき、端末は直流ループを形成せず、回線電圧の極性のみ検出できるようにし、局から供給される電力を低く抑えるように動作する。
【００４９】
リンク確立制御回路４０は、また、媒体試験の開始および媒体試験の終了後の復帰動作も制御するようにしている。
【００５０】
すなわち、図９に示したように、媒体試験の開始に先立ち、局は、回線電圧を１５Ｖ以下の状態にする。すると、通信制御回路２０のノーマル検出回路２１およびリバース検出回路２２は、いずれも、１５Ｖ以上の電圧を検出できなくなるので、ノーマル検出回路２１およびリバース検出回路２２の検出出力は、それぞれその旨を示すものとなる。リンク確立制御回路４０は、その検出出力が所定時間以上継続したと判別したときには、通信／試験切換スイッチ８に、通信制御回路２０側から試験回路１０側に切り換えるようにする切換制御信号ＳＡを供給する。このときの切換制御信号ＳＡは、通信／試験切換スイッチ８を構成する電磁リレーを励磁する信号であり、通信／試験切換スイッチ８は、通信制御回路２０側から試験回路１０側に切り換えられる。
【００５１】
局が媒体試験を行う場合、端末側は、局側からみて、インピーダンスを１ＭΩ以上にする必要があり、試験回路１０は、このインピーダンス条件を満足することができるように構成されている。
【００５２】
媒体試験終了後は、局は、回線電圧を通常動作時の１５Ｖ以上に戻す。すると、端末の試験回路１０のノーマル検出回路１１またはリバース検出回路１２のいずれかで、この１５Ｖ以上の回線電圧が検出され、その旨を示す検出出力がリンク確立制御回路４０に供給される。リンク確立制御回路４０は、このノーマル検出回路１１またはリバース検出回路１２のいずれかからの１５Ｖ以上の回線電圧への復帰を示す検出出力を受けると、切換制御信号ＳＡを、通信／試験切換スイッチ８を構成する電磁リレーの励磁を停止する信号に変更し、通信／試験切換スイッチ８を、試験回路１０側から通信制御回路２０側に切り換える。
【００５３】
その後、局側は、起動動作時と同様のシーケンスを実行するので、端末においては、前述したように、通信制御回路２０とリンク確立制御回路４０とにより、前述の起動動作時のシーケンスが実行され、リンクの再確立がなされる。
【００５４】
交換機がローカル給電対応の場合には、通常動作時、局からの給電を受けないように、給電回路３０の負荷を回線から切り離されると共に、停電時は、局からの給電を受けるために、給電回路３０の負荷を回線に接続するように、制御される。給電回路３０の負荷の回線に対する切り離し制御は、電磁リレーからなる通電／停電切換スイッチ９により行われる。
【００５５】
通電／停電切換スイッチ９を構成する電磁リレーの切換制御信号ＳＢは、ＡＣ／ＤＣコンバータを含むＡＣ／ＤＣ電源回路５０から供給される。ＡＣコンセントに接続されて、ＡＣ／ＤＣ電源回路５０に電源が投入されると、端末の各部は、このＡＣ／ＤＣ電源回路５０からの給電を受けて動作する。このとき、切換制御信号ＳＢは、通電／停電切換スイッチ９の電磁リレーを励磁して、スイッチ９は、通信制御回路２０側に切り換えられ、回線と給電回路３０とは切り離される。
【００５６】
停電時になると、切換制御信号ＳＢは、通電／停電切換スイッチ９の電磁リレーの励磁を解除するので、スイッチ９は給電回路３０側に切り換わる。したがって、回線が給電回路３０に接続されて、局からの給電により、通話および制御回路の動作を行うことができる。そして、復電すると、ＡＣ／ＤＣ電源回路５０からの切換制御信号ＳＢが、通電／停電切換スイッチ９の電磁リレーを励磁する状態に戻るので、スイッチ９は、通電制御回路２０側を回線に接続し、給電回路３０を回線から切り離す状態になる。
【００５７】
以上のようにして、ローカル給電方式の交換機にも対応することができるように、Ｕ点インターフェースを有するＩＳＤＮ端末を構成することができるが、前述したように、図１０の構成においては、局側とＩＳＤＮ端末側とで、正しく起動動作時のシーケンスを行えるようにするために、接続点Ａ，接続点Ｂの電圧極性、すなわち、端子１、端子２の電圧極性を正しく合わせなければならず、手動による極性切換スイッチ３の切り換え状態の設定が必要であった。
【００５８】
このような設置工事者による設定の必要な極性切換スイッチ３の存在は、設定ミスが生じる可能性は否定できず、その設定ミスの状態になると、局側と端末側とでリンクが確立できなくなってしまうという問題がある。また、端末に障害が発生したときに、その原因を調査する段階で、端末自体の故障による障害か、極性切換スイッチ３の設定ミスにより端末が正常に動作しないのか、の切りわけに時間がかかる場合が生じるという問題もある。
【００５９】
また、通常動作時と媒体試験動作時との切り換え、および、通常通電状態と停電動作時時との切り換えは、それぞれ電磁リレーを用いた通信／試験切換スイッチ８や通電／停電切換スイッチ９を用いる必要がある。消費電力が、他の回路部品に比べて非常に大きい電磁リレーを用いることは端末の消費電力の点で問題であり、また、電磁リレーは実装スペースも大きいので、端末装置の大型化になるという問題もある。
【００６０】
また、図１０の構成においては、通常時は使用しない媒体試験だけのための試験回路１０を設ける必要があった。
【００６１】
さらに、図１０の構成においては、上述のような起動動作シーケンス制御や切換制御等を行うために、ロジック回路からなるリンク確立制御回路４０へ試験回路１０や通信制御回路２０の検出出力を入力し、また、切換スイッチ８を制御するために切換制御信号ＳＡを出力する等を含めて、端末全体の回路構成を考えると、冗長な構成となっている。また、リンク確立制御回路４０は、入出力制御および前記起動動作シーケンス時の交換機の種別を判別するための監視時間の確保、一定の遅延時間のカウントなどをワイヤードロジックで構成しているため、コストアップ、実装スペースの占有という問題がある。
【００６２】
この発明は、以上の点にかんがみ、図１０の構成の極性切換スイッチ３を省略して、回線電圧の極性の設定ミスの問題を生じないようにすると共に、電磁リレーのスイッチ８、９や試験回路１０を省略し、構成の簡略化を図ることを目的とする。
【００６３】
【課題を解決するための手段】
上記課題を解決するため、請求項１の発明によるＵ点インターフェースを有するＩＳＤＮ端末装置は、
ＩＳＤＮ回線との接続のためのＵ点インターフェースを有し、動作中には、電話局との間で常にリンクをはるようにするＩＳＤＮ端末装置において、
少なくとも前記ＩＳＤＮ端末装置が前記ＩＳＤＮ回線に接続されたときに、前記ＩＳＤＮ回線の回線電圧の極性に関係なく、前記回線電圧が所定電圧以上である場合に、前記回線電圧をノーマル極性の回線電圧として検出する第１の検出手段と、
前記第１の検出手段で前記ノーマル極性が検出されたときに、直流ループを形成する第１の直流ループ手段と、
前記直流ループ形成後に極性反転された、前記所定電圧以上の前記ＩＳＤＮ回線の回線電圧を、リバース極性の回線電圧として検出する第２の検出手段と、
前記第２の検出手段で前記極性反転が検出された後から所定時間内に、さらなる極性反転があるか否かを監視する監視手段と、
を備える。
【００６４】
また、請求項２の発明は、
ＩＳＤＮ回線との接続のためのＵ点インターフェースを有し、動作中には、電話局との間で常にリンクをはるようにするＩＳＤＮ端末装置において、
前記ＩＳＤＮ回線の回線電圧が第１の極性の時に、前記回線電圧が所定電圧以上であることを検出する第１の検出回路と、
前記第１の検出回路の検出出力に基づいた第１の制御信号を受けて、直流ループを形成する第１の直流ループ回路と、
前記ＩＳＤＮ回線の回線電圧が前記第１の極性とは逆極性の第２の極性の時に、前記回線電圧が所定電圧以上であることを検出する第２の検出回路と、
前記第２の検出回路の検出出力に基づいた第２の制御信号を受けて、直流ループを形成する第２の直流ループ回路と、
前記第１の検出回路および前記第２の検出回路の検出出力を受け、前記第１の制御信号および前記第２の制御信号を必要に応じて発生する制御回路と、
を備え、
前記制御回路は、
少なくとも前記ＩＳＤＮ端末装置が前記ＩＳＤＮ回線に接続されたときに、前記第１の検出回路または前記第２の検出回路の一方から、前記回線電圧が所定電圧以上であることの検出出力を受けた場合に、そのときの回線電圧の極性をノーマル極性と判断し、前記検出出力に対応する前記第１の制御信号または前記第２の制御信号を発生して、前記第１の直流ループ回路または前記第２の直流ループ回路で直流ループを形成させるようにし、
前記直流ループ形成後に極性反転された前記ＩＳＤＮ回線の回線電圧が、前記所定電圧以上であることの検出出力を、前記第１の検出回路または前記第２の検出回路の他方から受けたときに、そのときの回線電圧の極性をリバース極性と判断して、前記極性反転を検出し、
前記極性反転が検出された時点から所定時間内に、さらなる極性反転があるか否かを、前記第１の検出回路または前記第２の検出回路の一方からの検出出力を監視することにより監視する
ことを特徴とする。
【００６５】
また、請求項３の発明は、請求項２に記載のＵ点インターフェースを有するＩＳＤＮ端末装置において、
前記制御回路は、
前記第１の検出回路および前記第２の検出回路のいずれからも、前記回線電圧が所定電圧以上であることを示す検出出力が、所定時間以上得られないときに、回線開放試験の状態として検知し、
その後、前記第１の検出回路または前記第２の検出回路のいずれか一方から、前記回線電圧が所定電圧以上であることを示す検出出力が得られたときに、前記回線開放試験の終了と判別して、通常動作への復帰動作を行なうようにする
ことを特徴とする。
【００６７】
【作用】
上述の構成の請求項１の発明においては、ＩＳＤＮ端末装置がＩＳＤＮ回線に接続されたときには、第１の検出手段が、回線電圧の極性に関係なく、回線電圧が所定電圧以上である場合に、それをノーマル極性の回線電圧として検出する。そして、その検出結果から、第１の直流ループ手段は、直流ループを形成する。そして、その直流ループ形成後の局側の回線電圧の極性反転があると、その極性反転された所定電圧以上の回線電圧を、第２の検出手段は、リバース極性の回線電圧として検出する。
【００６８】
このリバース極性の回線電圧の検出後には、端末装置は、監視手段により、所定時間内に、さらなる極性反転があるか否かを監視し、局側の交換機がローカル給電方式に対応するものであるか否かを判別する。
【００６９】
この請求項１の発明のＩＳＤＮ端末装置によれば、第１の検出回路は、回線電圧がいずれの極性であっても、所定電圧以上であるときに、それをノーマル極性の通常時の回線電圧であるとして検出する。そして、その後の極性反転された回線電圧を第２の検出回路がリバース極性として検出するようにする。以上により、図１０の例のような手動の極性切換スイッチ３がなくても、前述した起動動作時のシーケンスが正常に行われるものである。
【００７０】
また、請求項２の発明においては、ＩＳＤＮ端末装置がＩＳＤＮ回線に接続されたときに、回線電圧が所定電圧以上である場合には、そのときの回線電圧の極性に応じて、第１の検出回路あるいは第２の検出回路の一方がそれを検出し、その検出出力を制御回路に供給する。
【００７１】
制御回路は、その検出出力をノーマル極性の回線電圧の検出出力と判別する。そして、制御回路は、第１の直流ループ回路または第２の直流ループ回路のうちの、検出出力を受けた方の極性に対応する直流ループ回路により直流ループを形成するように、第１の制御信号または第２の制御信号を発生する。
【００７２】
その後、局側で回線電圧の極性を反転すると、第１の検出回路あるいは第２の検出回路の他方がそれを検出し、その検出出力を制御回路に供給する。制御回路は、その検出出力をリバース極性の回線電圧と判別する。そして、制御回路は、その極性反転が検出された時点から所定時間内に、さらなる極性反転があるか否かを、第１の検出回路または第２の検出回路の一方からの検出出力を監視することにより監視する。
【００７３】
以上のようにして、請求項２の発明によれば、制御回路において、回線電圧がいずれの極性であっても、所定電圧以上であるときに、それがノーマル極性の通常時の回線電圧であるとして検出され、その後の極性反転された回線電圧はリバース極性として検出される。したがって、図１０の例のような手動の極性切換スイッチ３がなくても、前述した起動動作時のシーケンスが正常に行われるものである。
【００７４】
また、請求項３の発明のＩＳＤＮ端末装置においては、請求項２の制御回路は、第１の検出回路および第２の検出回路のいずれからも、回線電圧が所定電圧以上であることを示す検出出力が、所定時間以上、得られないときに、直流ループを形成していた第１の直流ループ回路または第２の直流ループ回路の直流ループを開放して、回線開放試験を行えるようにする。
【００７５】
そして、制御回路は、その後、第１の検出回路または第２の検出回路のいずれか一方から、回線電圧が所定電圧以上であることを示す検出出力が得られたときに、回線開放試験の終了と判別して、ＩＳＤＮ端末装置を通常動作へ復帰させるようにする。
【００７６】
したがって、この請求項３の発明によれば、図１０の試験回路１０は不要になると共に、図１０の通信／試験切換スイッチ８としての電磁リレーも省略することができる。
【００７９】
【発明の実施の形態】
以下、この発明によるＵ点インターフェースを有するＩＳＤＮ端末装置の実施の形態を図を参照しながら説明する。
【００８０】
図１は、電話局との間で常にリンクをはり、かつ、ローカル給電方式にも対応することができるようにするＵ点インターフェースを有するＩＳＤＮ端末装置の実施の形態の、主としてＵ点の接続部の構成例を示す回路ブロック図である。図１０のブロック図と同一部分には、同一符号を付してある。
【００８１】
この実施の形態では、図１０の極性切換スイッチ３は省略され、ＩＳＤＮ回線Ｌ１およびＬ２が接続される端子１および端子２は、直流分離回路４に直接に接続される。
【００８２】
また、図１０の試験回路１０と、通信／試験切換スイッチ８とは省略され、端子１および端子２が、通信制御／試験回路６０に接続される。この通信制御／試験回路６０は、第１極性検出回路６１と、第２極性検出回路６２と、第１極性直流ループ回路６３と、第２極性直流ループ回路６４とを備える。
【００８３】
なお、この図１の例では、端子１側が正極性のときの回線電圧の極性を第１極性とし、端子１側が負極性のときの回線電圧の極性を第２極性として、説明するものとする。
【００８４】
図１の実施の形態では、リンク確立制御回路４０は設けられず、第１極性検出回路６１の検出出力ＤＥＴ１と、第２極性検出回路６２の検出出力ＤＥＴ２とは、マイクロコンピュータからなる制御回路７０に供給される。また、制御回路７０から、第１の制御信号Ｃ１と、第２の制御信号Ｃ２とが、それぞれ第１極性直流ループ回路６３と、第２極性直流ループ回路６４とに供給される。
【００８５】
制御回路７０は、システムバス７７に対して、ＣＰＵ７１と、プログラムＲＯＭ７２と、ＲＡＭ７３と、インターフェース７４と、Ｉ／Ｏポート７５および７６とが接続されて構成されている。
【００８６】
プログラムＲＯＭ７２には、起動動作時のシーケンス制御のためのプログラムや、通常動作状態から媒体試験への移行時および復帰時のシーケンス制御ためのプログラムなどが記憶されている。
【００８７】
そして、レイヤ１・２制御回路６は、インターフェース７４を通じて制御回路７０に接続されている。通信制御／試験回路６０の第１極性検出回路６１の検出出力ＤＥＴ１および第２極性検出回路６２の検出出力ＤＥＴ２は、Ｉ／Ｏポート７５を通じて制御回路７０に入力される。また、制御回路７０のＩ／Ｏポート７６を通じて第１の制御信号Ｃ１が第１極性直流ループ回路６３に供給されるとともに、第２の制御信号Ｃ２が第２極性直流ループ回路６４に供給される。
【００８８】
また、この実施の形態では、図１０の通電／停電切換スイッチ９は省略され、ＩＳＤＮ回線Ｌ１およびＬ２が接続される端子１および端子２は、両波整流回路８０に接続される。そして、両波整流回路８０の出力直流電圧は給電回路３０に供給される。したがって、接続点Ａおよび接続点Ｂ間に現れる回線電圧の極性に関係なく、回線電圧を両波整流して得られる直流電圧が、両波整流回路８０から給電回路３０に供給される。
【００８９】
そして、給電回路３０は、この実施の形態では、ＡＣ／ＤＣ電源回路５０からの通常時と停電時とで信号状態が変わる制御信号ＣＴＬにより、通常通電時には、局からの給電を受けないように給電回路３０の負荷を回線から切り離されると共に、停電時は、局からの給電を受けるために、給電回路３０の負荷を回線に接続するように、制御される。なお、ＡＣ／ＤＣ電源回路５０からの制御信号ＣＴＬは、図１０の例の場合の切換制御信号ＳＢに対応するものである。
【００９０】
図２および図３は、図１の端子１および端子２から、Ｕ点インターフェース５までの部分、通信制御／試験回路６０の部分、両波整流回路８０および給電回路３０の部分の具体回路例を示すものである。
【００９１】
すなわち、図２に示すように、直流分離回路４は、直流阻止用コンデンサ４１、４２およびトランス４３を含んで構成される。また、Ｕ点インターフェース５において、送信回路５Ｔは、ＦＥＴ５１および５２を含んで構成され、受信回路５Ｒは、ＦＥＴ５３および５４を含んで構成される。
【００９２】
そして、通信制御／試験回路６０においては、ダイオード６１Ｄと、フォトカプラー６１ＰＴと、ツェナーダイオード６１Ｚと、抵抗器６１Ｒとにより第１極性検出回路６１が構成され、フォトカプラー６３ＰＴと、抵抗器６３Ｒと、フォトカプラー６１ＰＴと、ダイオード６１Ｄとにより、第１極性直流ループ回路６３が構成される。
【００９３】
また、ダイオード６２Ｄと、フォトカプラー６２ＰＴと、ツェナーダイオード６２Ｚと、抵抗器６２Ｒとにより第２極性検出回路６２が構成され、フォトカプラー６４ＰＴと、抵抗器６４Ｒと、フォトカプラー６２ＰＴと、ダイオード６２Ｄとにより、第２極性直流ループ回路６４が構成される。
【００９４】
ツェナーダイオード６１Ｚおよびツェナーダイオード６３Ｚとしては、ツェナー電圧が１５〜１８Ｖのものが用いられ、接続点Ａ，Ｂ間の回線電圧が１５Ｖ以下ではオンとならないようにされている。すなわち、回線開放媒体試験時の直流電圧値ではオフとなるようにされている。
【００９５】
したがって、回線電圧の極性が接続点Ａが正となる状態のときに、回線電圧が１５Ｖであると、第１極性検出回路６１のツェナーダイオード６１Ｚがオンとなり、フォトカプラー６１ＰＴの発光ダイオードを通じて電流が流れ、フォトカプラー６１ＰＴのフォトトランジスタがオンとなる。したがって、このときには、第１極性検出回路６１からローレベルとなる検出出力ＤＥＴ１が出力され、制御回路７０に供給される。
【００９６】
また、回線電圧の極性が接続点Ａが負となる状態のときに、回線電圧が１５Ｖであると、第２極性検出回路６２のツェナーダイオード６２Ｚがオンとなり、フォトカプラー６２ＰＴの発光ダイオードを通じて電流が流れ、フォトカプラー６２ＰＴのフォトトランジスタがオンとなる。したがって、このときには、第２極性検出回路６２からローレベルとなる検出出力ＤＥＴ２が出力され、制御回路７０に供給される。
【００９７】
そして、制御回路７０からの第１の制御信号Ｃ１がハイレベルであるときには、第１極性直流ループ回路６３のフォトカプラー６３ＰＴの発光ダイオードに電流が流れてこれが発光するため、フォトカプラー６３ＰＴのフォトトランジスタがオンとなる。すると、回線電圧の極性が接続点Ａが正となる状態であれば、ダイオード６１Ｄ、フォトカプラー６１ＰＴ、抵抗器６３Ｒおよびフォトカプラー６３ＰＴを通じて直流ループが形成される。
【００９８】
しかし、制御回路７０からの第１の制御信号Ｃ１がローレベルであるときには、第１極性直流ループ回路６３のフォトカプラー６３ＰＴの発光ダイオードは発光しないので、フォトカプラー６３ＰＴのフォトトランジスタがオフとなる。このため、回線電圧の極性が接続点Ａが正となる状態であっても、直流ループは形成されない。
【００９９】
また、制御回路７０からの第２の制御信号Ｃ２がハイレベルであるときには、第２極性直流ループ回路６４のフォトカプラー６４ＰＴの発光ダイオードに電流が流れてこれが発光するため、フォトカプラー６４ＰＴのフォトトランジスタがオンとなる。すると、回線電圧の極性が接続点Ａが負となる状態であれば、ダイオード６２Ｄ、フォトカプラー６２ＰＴ、抵抗器６４Ｒおよびフォトカプラー６４ＰＴを通じて直流ループが形成される。
【０１００】
一方、制御回路７０からの第２の制御信号Ｃ２がローレベルであるときには、第２極性直流ループ回路６４のフォトカプラー６４ＰＴの発光ダイオードは発光しないので、フォトカプラー６４ＰＴのフォトトランジスタがオフとなる。このため、回線電圧の極性が接続点Ａが負となる状態であっても、直流ループは形成されない。
【０１０１】
次に、図３は、両波整流回路８０および給電回路３０の部分を示す図である。両波整流回路８０は、ダイオードブリッジ回路により構成される。給電回路３０は、ＡＣ／ＤＣ電源回路５０からの制御信号ＣＴＬによりオン・オフされるフォトカプラー３１を備えている。制御信号ＣＴＬは、停電検出信号であり、端子３２を通じてフォトカプラー３１の発光ダイオード３１Ｄのアノード側に供給される。このフォトカプラー３１の発光ダイオード３１Ｄのカソード側は、抵抗器３３を通じて接地されている。
【０１０２】
そして、抵抗器３４と、ダイオード３５と、フォトカプラー３１のフォトトランジスタ３１Ｔのコレクタ−エミッタ間とが、両波整流回路８０の両出力端間に、直列に接続される。そして、抵抗器３４とダイオード３５との接続点の電圧は、ＦＥＴ３６のゲートに印加されている。
【０１０３】
制御信号ＣＴＬは、通常通電状態においては、ハイレベルとなる信号であり、このときには、フォトカプラー３１の発光ダイオード３１Ｄが発光して、フォトトランジスタ３１Ｔがオンとなるため、抵抗器３４とダイオード３５との接続点の電位は低く、ＦＥＴ３６がオフであるので給電回路３０は非動作状態となる。そして、停電時には、制御信号ＣＴＬがローレベル（信号無し）となるので、フォトカプラー３１のフォトトランジスタ３１Ｔがオフとなる。すると、抵抗器３４とダイオード３５との接続点の電位が高くなるので、ＦＥＴ３６が動作状態となって、給電回路３０は動作を開始し、５Ｖの電源電圧を負荷に出力するようになる。
【０１０４】
次に、以上のように構成されているこの実施の形態のＩＳＤＮ端末装置の動作について説明する。
【０１０５】
［起動動作シーケンスのときの動作］
先ず、図７および図８に示した起動動作時あるいは図９に示した媒体試験からの復旧時のシーケンスを行う場合について、図４および図５に示すフローチャートを参照して説明する。このフローチャートは、制御回路７０のＣＰＵ７１がプログラムＲＯＭ７２に記憶されているプログラムに従って行なう処理ルーチンを示すものである。
【０１０６】
すなわち、ＩＳＤＮ端末装置をＩＳＤＮ回線に接続したとき、あるいは、媒体試験の状態から回線電圧が１５Ｖ以上の状態に復旧したときに、図４およびその続きである図５のフローチャートに示す処理ルーチンが開始される。
【０１０７】
先ず、第１極性検出回路６１の検出出力ＤＥＴ１を検査し、接続点Ａが正である第１極性のときの１５Ｖ以上の回線電圧が検出された否か判別する（ステップＳ１）。１５Ｖ以上の第１極性の回線電圧が検出されたと判別したときには、その第１極性の回線電圧をノーマル極性の回線電圧として検出する（ステップＳ２）。そして、第１極性直流ループ回路６３に、制御信号Ｃ１として、直流ループをオンにする信号を供給する（ステップＳ３）。
【０１０８】
次に、第２極性検出回路６２の検出出力ＤＥＴ２を検査し、接続点Ａが負である第２極性のときの１５Ｖ以上の回線電圧が検出された否か判別する（ステップＳ４）。１５Ｖ以上の第２極性の回線電圧を検出すると、その第２極性の回線電圧をリバース極性として極性反転を検出する（ステップＳ５）。そして、第２極性直流ループ回路６４に、制御信号Ｃ２として、直流ループをオフにする信号を供給する（ステップＳ６）。そして、監視時間タイマーを起動する（ステップＳ７）
そして、監視時間タイマーがタイムアップになったか否か監視し（ステップＳ８）、タイムアップになっていないときには、第１極性のときの１５Ｖ以上の回線電圧が第１極性検出回路６１で検出されたか否か判別する（ステップＳ１１）。１５Ｖ以上の第１極性の回線電圧が検出されなかったときには、ステップＳ８に戻り、タイムアップになったか否か判別する。
【０１０９】
そして、タイムアップになったときには、局側の交換機は、ローカル給電方式に対応していることを認識する（ステップＳ９）。そして、直流ループを形成することなく、直流分離回路４、Ｕ点インターフェース５、レイヤ１・２制御回路６により、局側との間で等化器トレーニングパルスの送受信を行ない（ステップＳ１０）、局側との間でリンクを確立する。
【０１１０】
また、タイムアップになる前に、ステップＳ１１で第１極性検出回路６１の検出出力ＤＥＴ１により、１５Ｖ以上の第１極性の回線電圧が検出されたと判別したときには、その第１極性の回線電圧の検出をノーマル極性への反転として検出し、交換機は、ローカル給電方式に非対応であることを認識する（ステップＳ１２）。そして、ノーマル極性への反転を検出したことから、第２直流ループ回路６４に、制御信号Ｃ２として、直流ループ（このときには、第２極性がリバース極性）をオンにする信号を供給し（ステップＳ１３）、等化器トレーニングのための準備をする。
【０１１１】
局側は、監視時間が経過した後に、図７に示したように、回線電圧の極性を反転してリバース極性にするので、第２極性直流ループ回路６４による直流ループが形成される。そして、この直流ループを形成した状態で、直流分離回路４、Ｕ点インターフェース５、レイヤ１・２制御回路６により、局側との間で等化器トレーニングパルスの送受信を行ない（ステップＳ１０）、局側との間でリンクを確立する。
【０１１２】
一方、ステップＳ１において、１５Ｖ以上の第１極性の回線電圧が検出されないと判別したときには、第２極性検出回路６２の検出出力ＤＥＴ２を検査し、接続点Ａが負である第２極性のときの１５Ｖ以上の回線電圧が検出された否か判別する（ステップＳ２１）。そして、１５Ｖ以上の第２極性の回線電圧が検出されなかったときには、エラーとする（ステップＳ３４）。このときは、例えば電話設置工事などのやり直しやＩＳＤＮ端末装置の故障をチェックするなどの処理を行なう。
【０１１３】
ステップＳ２１で１５Ｖ以上の第２極性の回線電圧が検出されたと判別したときには、その第２極性の回線電圧をノーマル極性の回線電圧として検出する（ステップＳ２２）。そして、第２極性直流ループ回路６４に、制御信号Ｃ２として、直流ループをオンにする信号を供給する（ステップＳ２３）。
【０１１４】
次に、第１極性検出回路６１の検出出力ＤＥＴ１を検査し、接続点Ａが正である第１極性のときの１５Ｖ以上の回線電圧が検出された否か判別する（ステップＳ２４）。１５Ｖ以上の第１極性の回線電圧を検出すると、その第１極性の回線電圧をリバース極性として極性反転を検出する（ステップＳ２５）。そして、第１極性直流ループ回路６３に、制御信号Ｃ１として、直流ループをオフにする信号を供給する（ステップＳ２６）。そして、監視時間タイマーを起動する（ステップＳ２７）
そして、監視時間タイマーがタイムアップになったか否か監視し（ステップＳ２８）、タイムアップになっていないときには、第２極性のときの１５Ｖ以上の回線電圧が第２極性検出回路６２で検出されたか否か判別する（ステップＳ３１）。１５Ｖ以上の第２極性の回線電圧が検出されなかったときには、ステップＳ２８に戻り、タイムアップになったか否か判別する。
【０１１５】
そして、タイムアップになったときには、局側の交換機は、ローカル給電方式に対応していることを認識する（ステップＳ２９）。そして、直流ループを形成することなく、直流分離回路４、Ｕ点インターフェース５、レイヤ１・２制御回路６により、局側との間で等化器トレーニングパルスの送受信を行ない（ステップＳ１０）、局側との間でリンクを確立する。
【０１１６】
また、タイムアップになる前に、ステップＳ３１で第２極性検出回路６２の検出出力ＤＥＴ２により、１５Ｖ以上の第２極性の回線電圧が検出されたと判別したときには、その第２極性の回線電圧の検出をノーマル極性への反転として検出し、交換機は、ローカル給電方式に非対応であることを認識する（ステップＳ３２）。そして、ノーマル極性への反転を検出したことから、第１直流ループ回路６３に、制御信号Ｃ１として、直流ループ（このときには、第１極性がリバース極性）をオンにする信号を供給し（ステップＳ３３）、等化器トレーニングのための準備をする。
【０１１７】
局側は、監視時間が経過した後に、図７に示したように、回線電圧の極性を反転してリバース極性にするので、第１極性直流ループ回路６３による直流ループが形成される。そして、この直流ループを形成した状態で、直流分離回路４、Ｕ点インターフェース５、レイヤ１・２制御回路６により、局側との間で等化器トレーニングパルスの送受信を行ない（ステップＳ１０）、局側との間でリンクを確立する。
【０１１８】
以上のようにして、この実施の形態のＩＳＤＮ端末装置によれば、端子１，端子２と電話回線Ｌ１，Ｌ２との接続において、回線電圧の極性が接続点Ａ側が正になるようになっていても、また、接続点Ａ側が負になるようになっていても、ＩＳＤＮ端末装置を回線Ｌ１，Ｌ２に接続したときに、第１極性検出回路６１または第２の極性検出回路６２のいずれか初めに検出された方をノーマル極性として制御回路７０で検出し、かつ、その逆極性をリバース極性として検出するようにするので、図１０の例のような、手動の極性切換スイッチは不要として、図７および図８に示した起動動作シーケンスを、正しく行なうことができるようになる。
【０１１９】
なお、局の交換機がローカル給電方式に対応している場合、局とＩＳＤＮ端末側で常にリンクを確立するようにしたとき、ＩＳＤＮ端末は直流ループを形成せず、電話回線の極性のみ、検出するようにし、局から供給される電力を低く抑えるように動作する。
【０１２０】
［媒体試験動作］
次に、通常状態から媒体試験への移行および通常状態への復旧時の動作を、図６のフローチャートを参照しながら説明する。
【０１２１】
すなわち、局とＩＳＤＮ端末装置との間でリンクを確立している状態において（ステップＳ４１）、図９に示したように、媒体試験開始に先立ち、局側は回線電圧を１５Ｖ以下に低くするので、制御回路７０は、第１極性検出回路６１および第２極性検出回路６２の検出出力ＤＥＴ１およびＤＥＴ２を監視し、両検出出力ＤＥＴ１およびＤＥＴ２が、共に、回線電圧１５Ｖ以上を検出できない状態、つまり、回線電圧が１５Ｖ以下になったかどうかを判別する（ステップＳ４２）。
【０１２２】
回線電圧が１５Ｖ以下になっていないときには、ステップＳ４１に戻り、リンク確立状態を継続する。そして、ステップＳ４２で、第１極性検出回路６１および第２極性検出回路６２の検出出力ＤＥＴ１およびＤＥＴ２が、共に、回線電圧１５Ｖ以上を検出できず、回線電圧が１５Ｖ以下になったことを判別したときには、瞬断時間タイマーを起動する（ステップＳ４３）。
【０１２３】
そして、瞬断時間タイマーがタイムアップになったか否か監視し（ステップＳ４４）、タイムアップになっていないときには、第１極性検出回路６１および第２極性検出回路６２の検出出力ＤＥＴ１およびＤＥＴ２を監視し、両検出出力ＤＥＴ１またはＤＥＴ２が１５Ｖ以上の回線電圧を検出したか否か判別する（ステップＳ４５およびステップＳ４６）。
【０１２４】
第１極性検出回路６１および第２極性検出回路６２が、共に、回線電圧１５Ｖ以上を検出できないと判別したときには、ステップＳ４４に戻り、瞬断時間タイマーのタイムアップを監視する。一方、第１極性検出回路６１または第２極性検出回路６２のいずれかが、１５Ｖ以上の回線電圧を検出すると（ステップＳ４５またはステップＳ４６）、ステップＳ４１に戻り、リンク確立状態の通常状態に戻る。
【０１２５】
第１極性検出回路６１および第２極性検出回路６２のいずれもが、１５Ｖ以上の回線電圧を検出することなく、瞬断時間タイマーがタイムアップになったことを検出すると（ステップＳ４４）、制御回路７０は、媒体試験の状態になることを認識し（ステップＳ４７）、媒体試験が行われる。このとき、通信制御／試験回路６０は、インピーダンスが１ＭΩ以上の状態となる。
【０１２６】
媒体試験が終了すると、局側は、回線電圧を１５Ｖ以上の状態に戻す。そこで、制御回路７０では、第１極性検出回路６１および第２極性検出回路６２の検出出力ＤＥＴ１およびＤＥＴ２を監視し、第１極性検出回路６１または第２極性検出回路６２のいずれかが、１５Ｖ以上の回線電圧を検出したかどうかを判別する（ステップＳ４８およびステップＳ４９）。
【０１２７】
第１極性検出回路６１または第２極性検出回路６２の検出出力ＤＥＴ１またはＤＥＴ２のいずれかが、１５Ｖ以上の回線電圧を検出した状態を制御回路７０が検出すると、ステップＳ５０に進み、ＩＳＤＮ端末装置は、前述した起動動作のシーケンスを行ない、局と端末との間にリンクを確立するようにする。
【０１２８】
以上のようにして、この実施の形態では、図１０の電磁リレーからなる通信／試験切換スイッチ８および試験回路１０を設けることなく、媒体試験状態への移行のシーケンスを正しく行なえると共に、媒体試験の状態から通常動作状態への復旧も行なえるものである。
【０１２９】
［停電動作］
前述したように、通常通電状態においては、ＡＣ／ＤＣ電源回路５０からの制御信号（停電検出信号）は、ハイレベルであり、このときには、この例では、上述したように給電回路３０は、非動作の状態とされ、給電回路３０の負荷（ＩＳＤＮ端末装置の各種回路部）が、実質上、回線から切り離される状態とされる。そして、ＩＳＤＮ端末装置の各種回路部には、ＡＣ／ＤＣ電源回路５０から給電される。
【０１３０】
そして、停電時には、ＡＣ／ＤＣ電源回路５０からの制御信号（停電検出信号）が、ローレベルになって、上述したように給電回路３０が動作状態となる。このとき、両波整流回路８０により、給電回路３０は、局からの回線電圧の極性に関係なく、局から給電を受けることができ、図１０の例のような極性切換スイッチ３および電磁リレーの切換スイッチ９は不要になる。
【０１３１】
復電時には、ＡＣ／ＤＣ電源回路５０からの制御信号（停電検出信号）は、ハイレベルに戻るため、給電回路３０は、非動作の状態とされ、給電回路３０の負荷（ＩＳＤＮ端末装置の各種回路部）が、実質上、回線から切り離される通常状態に戻る。
【０１３２】
【発明の効果】
以上説明したように、この発明によれば、Ｕ点の接続部に、通常、設けられる手動の極性切換スイッチを省略することができるので、ＩＳＤＮ端末装置において、回線電圧の極性の設定ミスによる問題が生じなくなる。
【０１３３】
また、この発明によれば、媒体試験時や、停電動作時のためのリレースイッチを省略できると共に、媒体試験用の回路や制御ロジック回路を簡略化できるので、ＩＳＤＮ端末装置のコストダウン、コンパクト化を図ることができると共に、取り扱いが容易なるという効果もある。
【図面の簡単な説明】
【図１】この発明によるＵ点インターフェースを有するＩＳＤＮ端末装置の実施の形態の要部のブロック図である。
【図２】図１の一部の具体的回路例を示す図である。
【図３】図１の一部の具体的回路例を示す図である。
【図４】実施の形態のＩＳＤＮ端末装置の起動動作シーケンス時の動作を説明するためのフローチャートの一部を示す図である。
【図５】実施の形態のＩＳＤＮ端末装置の起動動作シーケンス時の動作を説明するためのフローチャートの一部を示す図である。
【図６】実施の形態のＩＳＤＮ端末装置の媒体試験移行時および給電復旧時の動作を説明するための図である。
【図７】ローカル給電方式に非対応の交換機の局側と端末側との間の起動動作シーケンスを説明するための図である。
【図８】ローカル給電方式に対応する交換機の局側と端末側との間の起動動作シーケンスを説明するための図である。
【図９】媒体試験移行時および給電復旧時のシーケンスを説明するための図である。
【図１０】ローカル給電方式に対応するＩＳＤＮ端末装置として先に考えられたもののブロック図である。
【符号の説明】
Ｌ１，Ｌ２  電話回線
４  直流分離回路
５  Ｕ点インターフェース
３０  給電回路
５０  ＡＣ／ＤＣ電源回路
６０  通信制御／試験回路
６１  第１極性検出回路
６２  第２極性検出回路
６３  第１極性直流ループ回路
６４  第２極性直流ループ回路
７０  マイクロコンピュータからなる制御回路
８０  両波整流回路
【図１】
0003737946.tif 000002
【図２】
0003737946.tif 000003
【図３】
0003737946.tif 000004
【図４】
0003737946.tif 000005
【図５】
0003737946.tif 000006
【図６】
0003737946.tif 000007
【図７】
0003737946.tif 000008
【図８】
0003737946.tif 000009
【図９】
0003737946.tif 000010
【図１０】
0003737946.tif 000011